(57)【要約】【課題】本発明は、収容容器から漏れるペットの臭いを低減するとともに、収容容器の内部を清潔に保ち、かつ、電源がない場所でも使用することができる収容容器を提供する。【解決手段】本発明は、ペットを収容するケージ部２と、ケージ部２の内部にイオンを発生するイオン発生部６と、イオン発生部６を駆動するための電力を供給する電源部８とを備える収容容器である。電源部８は、ケージ部２に加えた運動エネルギーを電気エネルギーに変換し、電力を発電する発電部を含む。【選択図】図１
2013183671.tif 000002
【特許請求の範囲】
【請求項１】
動物を収容するケージ部と、
前記ケージ部の内部にイオンを発生するイオン発生部と、
前記イオン発生部を駆動するための電力を供給する電源部と
を備え、
前記電源部は、前記ケージ部に加えた運動エネルギーを電気エネルギーに変換し、電力を発電する発電部を含む、収容容器。
【請求項２】
動物を収容するケージ部と、
前記ケージ部の内部に荷電微細水滴を発生する静電霧化部と、
前記静電霧化部を駆動するための電力を供給する電源部と
を備え、
前記電源部は、前記ケージ部に加えた運動エネルギーを電気エネルギーに変換し、電力を発電する発電部を含む、収容容器。
【請求項３】
前記発電部は、変形させるときに生じる運動エネルギーを電気エネルギーに変換し、電力を発電する圧電素子である、請求項１または２に記載の収容容器。
【請求項４】
前記ケージ部は、前記動物を載せる台座部を含み、
前記台座部は、前記ケージ部に前記圧電素子で吊下げられており、
前記圧電素子は、前記台座部の変位により変形する、請求項３に記載の収容容器。
【請求項５】
前記電源部は、前記発電部が発電した電力を蓄電する蓄電部を含む、請求項１または２に記載の収容容器。
【請求項６】
前記蓄電部は、外部電源から供給された電力を蓄電する、請求項５に記載の収容容器。
【請求項７】
前記ケージ部は、前記動物を載せる台座部を含み、
前記台座部は、前記ケージ部との間に前記圧電素子を挟み、
前記圧電素子は、前記台座部の変位により変形する、請求項３に記載の収容容器。
【請求項８】
前記台座部は、前記圧電素子と接触する面に少なくとも１つの突起部を設けてあり、
前記圧電素子は、前記台座部の変位により前記突起部で局所的に変形する、請求項７に記載の収容容器。
【請求項９】
前記ケージ部は、前記圧電素子と接触する面の前記突起部と対応する位置に、少なくとも１つの窪部を設けてある、請求項８に記載の収容容器。
【請求項１０】
前記収容容器は、運搬するための取っ手をさらに備え、
前記取っ手は、内部に設置した前記圧電素子で前記ケージ部に接続しており、
前記圧電素子は、前記取っ手を持って前記収容容器を運搬するときに生じる前記ケージ部の振動により変形する、請求項３に記載の収容容器。
【請求項１１】
前記収容容器は、運搬するための肩ベルトをさらに備え、
前記肩ベルトは、内部に設置した前記圧電素子で前記ケージ部に接続しており、
前記圧電素子は、前記肩ベルトを肩に掛けて前記収容容器を運搬するときに生じる前記ケージ部の振動により変形する、請求項３に記載の収容容器。
【発明の詳細な説明】
【技術分野】
【０００１】
本発明は、収容容器に関し、特に、ペットを収容するケージ部を備える収容容器に関するものである。
【背景技術】
【０００２】
イオン発生部を搭載して空気中の細菌を殺菌したりウイルスを失活したりする空気清浄機などが販売されており、イオンによって空気を浄化することが一般化しつつある（特許文献１）。
【０００３】
また、電源のない場所での電源確保手段として、自然エネルギーを利用して発電を行う試みも盛んになっており、圧力や振動といった運動エネルギーを利用する試みもなされている。なかでも、圧電素子を用いて運動エネルギーを電気エネルギーに変換する技術は古くから実用化されており、電子ライターやガス器具の着火装置としても知られている（特許文献２）。
【先行技術文献】
【特許文献】
【０００４】
【特許文献１】特許第３７７３７６７号公報
【特許文献２】特開２００６―３１８８３８号公報
【発明の概要】
【発明が解決しようとする課題】
【０００５】
ペットの増加とともに、公共交通機関や公共施設にペットを連れて外出する機会が増加しており、ペットの収容容器（以下、ペットキャリーとも言う）は必需品になっている。しかし、犬などは特に、ペットキャリーから臭いが漏れて周囲に不快感を与えてしまう。そのため、ペットキャリーから漏れるペットの臭いを低減することは重要な課題である。
【０００６】
また、ペットを連れて長時間移動する機会も増加しているが、ペットは、狭いペットキャリー内に長時間収容されていると、ストレスにより病原菌への抵抗力が低下して、空気中を浮遊している病原菌やペットキャリーに付着している病原菌によって、病気に感染してしまうおそれが増大する。そのため、ペットキャリーの内部を清潔に保つことも重要な課題である。
【０００７】
しかしながら、ペットを連れて外出する際には、自由に使用することができる電源を確保できないことが多い。
【０００８】
それゆえに、本発明は、上記問題点を解決するためになされたものであり、ペットキャリーから漏れるペットの臭いを低減するとともに、ペットキャリーの内部を清潔に保ち、かつ、電源がない場所でも使用することができるペットキャリーを提供することを目的とする。
【課題を解決するための手段】
【０００９】
上記課題を解決するために、本発明のある局面に従うと、収容容器は、動物を収容するケージ部と、ケージ部の内部にイオンを発生するイオン発生部と、イオン発生部を駆動するための電力を供給する電源部とを備える。電源部は、ケージ部に加えた運動エネルギーを電気エネルギーに変換し、電力を発電する発電部を含む。
【００１０】
上記課題を解決するために、本発明の別の局面に従うと、収容容器は、動物を収容するケージ部と、ケージ部の内部に荷電微細水滴を発生する静電霧化部と、静電霧化部を駆動するための電力を供給する電源部とを備える。電源部は、ケージ部に加えた運動エネルギーを電気エネルギーに変換し、電力を発電する発電部を含む。
【００１１】
好ましくは、発電部は、変形させるときに生じる運動エネルギーを電気エネルギーに変換し、電力を発電する圧電素子である。
【００１２】
好ましくは、ケージ部は、動物を載せる台座部を含む。台座部は、ケージ部に圧電素子で吊下げられており、圧電素子は、台座部の変位により変形する。
【００１３】
好ましくは、電源部は、発電部が発電した電力を蓄電する蓄電部を含む。
好ましくは、蓄電部は、外部電源から供給された電力を蓄電する。
【００１４】
好ましくは、ケージ部は、動物を載せる台座部を含む。台座部は、ケージ部との間に圧電素子を挟み、圧電素子は、台座部の変位により変形する。
【００１５】
好ましくは、台座部は、圧電素子と接触する面に少なくとも１つの突起部を設けてある。圧電素子は、台座部の変位により突起部で局所的に変形する。
【００１６】
好ましくは、ケージ部は、圧電素子と接触する面の突起部に対応する位置に、少なくとも１つの窪部が設けてある。
【００１７】
好ましくは、収容容器は、運搬するための取っ手をさらに備える。取っ手は、内部に設置した圧電素子でケージ部に接続している。圧電素子は、取っ手を持って収容容器を運搬するときに生じるケージ部の振動により変形する。
【００１８】
好ましくは、収容容器は、運搬するための肩ベルトをさらに備える。肩ベルトは、内部に設置した圧電素子でケージ部に接続している。圧電素子は、肩ベルトを肩に掛けて収容容器を運搬するときに生じるケージ部の振動により変形する。
【発明の効果】
【００１９】
本発明に係る収容容器は、イオン発生部または静電霧化部を備え、空気中を浮遊している病原菌や収容容器に付着している病原菌を殺菌したり失活したりすることで、収容容器の内部を清潔に保つことができる。また、臭い物質を除去することで、収容容器から漏れる動物の臭いを低減できる。さらに、本発明に係る収容容器は、ケージ部に加えた運動エネルギーを電気エネルギーに変換し、電力を発電する発電部を含むことで、イオン発生部または静電霧化部を電源がない場所でも使用できる。
【図面の簡単な説明】
【００２０】
【図１】本発明の実施の形態１に係る収容容器の構造を示す図である。
【図２】本発明の実施の形態１に係る収容容器において、圧電素子の設置状態を示す図である。
【図３】図２に示す圧電素子の構造を示す図である。
【図４】本発明の実施の形態１に係る収容容器の電源部の回路構成を示す回路ブロック図である。
【図５】本発明の実施の形態１に係る収容容器のイオン発生部の構造を示す図である。
【図６】図５に示すイオン発生部の回路構成を示す回路ブロック図である。
【図７】本発明の実施の形態２に係る収容容器の一部の構造を示す分解図である。
【図８】図７に示す収容容器の一部の断面図である。
【図９】本発明の実施の形態３に係る収容容器の一部の分解図である。
【図１０】図９に示す収容容器の一部の断面図である。
【図１１】本発明の実施の形態４に係る収容容器の取っ手において、圧電素子の設置状態を示す断面図である。
【図１２】本発明の実施の形態５に係る収容容器の構造を示す外観図である。
【図１３】図１２に示す肩ベルトにおいて、圧電素子の設置状態を示す図である。
【発明を実施するための形態】
【００２１】
（実施の形態１）
以下、本発明の実施の形態１に係る収容容器について、図１〜図６を参照しながら説明する。
【００２２】
図１は、本発明の実施の形態１に係る収容容器（以下、ペットキャリー１０とも言う）の構造を示す図である。図１の左半分はペットキャリー１０の断面図、右半分は外観図である。ペットキャリー１０は、蓋１、ケージ部２、台座部３、取っ手４、留具５、イオン発生部６、ヒンジ７、電源部８、支持部９を備える。
【００２３】
ケージ部２は、上方が開口した箱状の容器であり、内部にペット（動物）を収容する。ケージ部２の側面は、薄板にした木材を平織にした形状を模しており、縦材と横材が交差する箇所が換気穴２ａになっている。多数の換気穴２ａは、新鮮な空気の取込みを可能にする一方、収容しているペットの臭いが外部に漏れる原因にもなる。
【００２４】
台座部３は、浅い皿状に形成した床であって、その上にペットを載せる。台座部３には、吸水シートや床面シートなどを設置してもよい。
【００２５】
蓋１は、透明な樹脂で成形しており、ペットキャリー１０の内部を観察可能にしてある。蓋１は、図１に示す位置とその対称となる位置（図示しない）との２か所に設けた留具５によって、ケージ部２に係止してある。また、蓋１は、図１に示す位置とその対称となる位置（図示しない）との２か所に設けたヒンジ７によって、ケージ部２に開閉自在に固定してある。取っ手４は、蓋１の上面中央部に取付けられて、ペットキャリー１０の持運びを容易にしている。
【００２６】
イオン発生部６は、蓋１の内部に設置してあり、空気中で放電することで高濃度のイオンを発生し、ペットキャリー１０の内部に充満させる。発生した正イオンおよび負イオンが、空気中の細菌を殺菌したり臭い物質を除去したりすることで空気が浄化される。
【００２７】
なお、イオン発生部６を、蓋１の外部にも設置して、ペットキャリー１０の外部にもイオンを発生するようにしてもよい。この場合、ペットキャリー１０の外部に漏れるペットの臭いを一層低減できる。また、イオン発生部６を設置する位置は、蓋１に限定されるものではなく、ペットキャリー１０の内部または外部にイオンを発生できる位置であればよい。
【００２８】
電源部８は、イオン発生部６を駆動するための電力を供給する。電源部８は、圧電シートを有する発電部を含む。
【００２９】
図２は、本発明の実施の形態１に係るペットキャリー１０において、圧電シート８１の設置状態を示す図である。
【００３０】
４枚の圧電シート８１（圧電素子）は、図１に示すケージ部２の四隅にそれぞれ配置され、一端を台座部３に、他端を支持部９に接続している。支持部９は、図１に示すケージ部２の上方開口部に取付けられ、上方開口部の補強を兼ねている。圧電シート８１は、台座部３がケージ部２に接触しないように長さが調節されており、台座部３にかけられた荷重が４枚の圧電シート８１で支えられる構造になっている。
【００３１】
なお、上記の圧電シート８１は、支持部９を設け、一端を台座部３に、他端を支持部９に接続したが、これに限定されるものではない。一端を台座部３に、他端を蓋１やケージ部２に直接接続してもよい。この場合、支持部９を省略できるため、ペットキャリー１０の構造を簡略化し、コストを低減できる。
【００３２】
以上のように構成したペットキャリー１０において、台座部３にペットを載せると、台座部３の上でペットが動き回ったり、飼主が取っ手４を持って運搬したりするときに生じる台座部３の振動によって、吊下げられた台座部３が変位する。台座部３の変位にともなって圧電シート８１が主に長さ方向に伸縮して変形するため、変形量に応じて電力を発電する。
【００３３】
なお、ペットキャリー１０に収容するものは、必ずしもペットのように台座部３の上で動き回るものでなくてもよい。ペットが台座部３の上に載っていなくとも、ペットキャリー１０を運搬するとき台座部３は振動する。台座部３が振動すると圧電シート８１が変形するため、電力を発電できる。
【００３４】
以下、圧電シート８１の構造について、図３を参照しながら説明する。
図３は、図２に示す圧電シート８１の構造を示す図である。圧電シート８１は、柔軟な樹脂シートであって、薄膜８１ａ、電極８１ｂ、リード線８１ｃを含む。
【００３５】
薄膜８１ａには、ポリフッ化ビニリデン（ＰＶＤＦ）を用いている。ＰＶＤＦは、変形により生じた応力を電気に変換する効率が非常に高く、従来用いられていた圧電セラミックスのチタン酸ジルコン酸鉛（ＰＺＴ）やチタン酸バリウム（ＢａＴｉＯ３）と比べて、２０倍から４０倍の応力−電気変換能力を有する。薄膜８１ａの両面には、銀（Ａｇ）などの金属箔で電極８１ｂを設けてあり、薄膜８１ａの変形によって発電された電力をリード線８１ｃから取出せるようにしてある。圧電シート８１単体の実験例では、１.０％の伸びを与えたときに８ｍＷ程度の発電量が測定されている。
【００３６】
圧電シート８１は、ＰＶＤＦの薄膜８１ａの表面に電極８１ｂとなる金属皮膜を接着や蒸着によって形成したものであるため、圧電シート８１を無理に変形させると、電極８１ｂのはく離や破断を生じるおそれがある。そのため、圧電シート８１を破損しないように、ペットキャリー１０に収納されるペットの平均的な大きさや重量、ペットの動きなどを考慮して、圧電シート８１の形状を調整すべきである。
【００３７】
また、圧電シート８１の特性上、幅や厚さが大きくなると同じ荷重をかけても変形量が小さくなり、十分な発電量を得ることができなくなる。そのため、十分な発電量を得ることができるように、圧電シート８１の形状、特に幅や厚さを調整すべきである。
【００３８】
圧電シートは一般に、積層することで発電能力が増加するため、変形量が小さくて十分な発電量を得ることができない場合は、圧電シート８１の積層枚数を増やしてもよい。また、ケージ部２の四隅だけでなく、圧電シート８１の数量を増やして発電量を増加させることもできる。
【００３９】
なお、上記の圧電シート８１は、ＰＶＤＦを薄膜８１ａに用いたが、これに限定されるものではなく、フッ化ビニリデン（ＶＤＦ）と三フッ化エチレン（ＴｒＦＥ）の共重合体などを薄膜８１ａに用いることもできる。
【００４０】
以下、圧電シート８１を有する電源部８の回路構成について、図４を参照しながら説明する。
【００４１】
図４は、本発明の実施の形態１に係るペットキャリー１０の電源部８の回路構成を示す回路ブロック図である。電源部８は、発電部８ａと蓄電部８ｂとを含む。発電部８ａは、圧電シート８１と整流回路８２とを有する。蓄電部８ｂは、蓄電池８３と電圧変換回路８４とを有する。
【００４２】
電源部８が発電部８ａを含むことで、外出先で電源がない場所でも、その場で発電し、イオン発生部６に電力を供給できる。
【００４３】
また、電源部８が蓄電部８ｂを含むことで、イオン発生部６を使用する前に蓄電池８３を予め蓄電しておくと、外出先で電源がない場所でも、イオン発生部６に電力を供給できる。蓄電池８３には、各種蓄電池、充電池、電気２重層キャパシタなどを用いることができる。
【００４４】
圧電シート８１は、台座部３の振動による変形で発電するため、発電量はパルス状に大きく変動する。そのため、発電された電力を蓄電池８３に蓄電するために、整流回路８２で整流することが好ましい。また、圧電シート８１がＰＶＤＦの場合、１ｃｍ２あたり数ｍＶ〜数１００ｍＶ程度の電圧を発生するが、蓄電池８３の特性に合わせて昇圧コンバーター（図示しない）で昇圧することが好ましい。
【００４５】
蓄電部８ｂには、蓄電池８３の特性に合わせて、充放電を制御する制御回路（図示しない）を設け、蓄電池８３を過充電または過放電から保護し、過電流を防止することが好ましい。また、電源部８には、商用電源や車載電源などの外部電源２００からも蓄電池８３を蓄電できるように、外部電源２００との接続端子（図示しない）や、外部電源２００の電圧を蓄電池８３に蓄電するための電圧に変換する電圧変換回路８４が設けてあることが好ましい。
【００４６】
なお、蓄電部８ｂを設けず、発電部８ａが発電した電力を用いて、イオン発生部６を直接駆動してもよい。たとえば、圧電シート８１の出力電圧を、昇圧コンバーターで３Ｖ程度に昇圧することで、低電圧駆動が可能なイオン発生部６を直接駆動できる。
【００４７】
以上のように構成した電源部８を備えるペットキャリー１０は、発電部８ａを含むことで、外出先で電源のない場所でも使用できる。さらに、蓄電部８ｂを備えることで、発電部８ａが電力を発電していないときでも使用できる。また、外部から電力の供給を受けて蓄電部８ｂに蓄電できるため、電力の確保が容易になり長時間使用できる。
【００４８】
以下、電源部８から電力の供給を受けるイオン発生部６の構造および回路構成について、図５および図６を参照しながら説明する。
【００４９】
図５は、本発明の実施の形態１に係るペットキャリー１０のイオン発生部６の構造を示す図である。イオン発生部６は、制御回路（図示しない）などを内蔵するケース６０と、ケース６０に開口する、正イオンを発生する正イオン発生部６１および負イオンを発生する負イオン発生部６２とを含む。
【００５０】
正イオン発生部６１は、放電電極６１ａと放電電極を取囲む対向電極６１ｂとを有し、放電電極６１ａおよび対向電極６１ｂは、同一の基板（図示しない）上に固定してある。同様に、負イオン発生部６２は、放電電極６２ａと放電電極を取囲む対向電極６２ｂとを有し、放電電極６２ａおよび対向電極６２ｂは、同一の基板（図示しない）上に固定してある。
【００５１】
このような構造を有するイオン発生部６は、図６のような回路構成を備え、以下のように動作する。
【００５２】
図６は、図５に示すイオン発生部６の回路構成を示す回路ブロック図である。イオン発生部６は、正イオン発生部６１、負イオン発生部６２、コネクタ６３、イオン発生部駆動回路６４、高電圧発生部６５、正極性パルス信号分離部６６、負極性パルス信号分離部６７を含む。
【００５３】
イオン発生部駆動回路６４は、イオン発生部６の外部の電力源（図示しない）からコネクタ６３を経由して供給された電力によって、正極性および負極性のパルス信号を生成する。生成されたパルス信号は、高電圧発生部６５に入力されて、正極性および負極性の高電圧パルス信号となって出力される。
【００５４】
高電圧発生部６５から出力された正極性および負極性の高電圧パルス信号は、正極性パルス信号分離部６６によって正極性パルス信号が分離されて、正イオン発生部６１の放電電極６１ａに印加される。放電電極６１ａを取囲む対向電極６１ｂには基準電位（図示しない）が接続してあり、放電電極６１ａと対向電極６１ｂとの間で放電が起こって正イオンが発生する。
【００５５】
同様に、高電圧発生部６５から出力された正極性および負極性の高電圧パルス信号は、負極性パルス信号分離部６７によって負極性パルス信号が分離されて、負イオン発生部６２の放電電極６２ａに印加される。放電電極６２ａを取囲む対向電極６２ｂには基準電位が接続してあり、放電電極６２ａと対向電極６２ｂとの間で放電が起こって負イオンが発生する。
【００５６】
本発明の実施の形態１においては、正イオンはＨ＋（Ｈ２Ｏ）ｍ（ｍは任意の自然数）、負イオンはＯ２−（Ｈ２Ｏ）ｎ（ｎは任意の自然数）となるように電圧を調整している。正イオンおよび負イオンを空気中に高濃度で発生することで、空気中に浮遊する細菌やウイルスの表面に正イオンおよび負イオンが付着して化学反応を起こす。そのときに生じる水酸基ラジカル・ＯＨや過酸化水素Ｈ２Ｏ２によって、細菌を殺菌したりウイルスを失活したりすることが知られている。また、臭い物質に付着して臭いを除去、軽減できることも知られている。
【００５７】
なお、本発明の実施の形態１では、イオン発生部６として正イオンと負イオンの双方を発生するものを用いたが、これに限定されるものではない。イオン発生部６は負イオンのみを発生するものであってもよい。また、ペットキャリー１０は、イオン発生部６に代えて、負極性の荷電微細水滴を発生させる静電霧化部を備えてもよい。負極性の荷電微細水滴は、殺菌効果やリラックス効果があるとされている。
【００５８】
（実施の形態２）
本発明の実施の形態１では、台座部３を吊下げるように圧電シート８１を設置したが、圧電シート８１を異なる位置に設置することもできる。以下、本発明の実施の形態２に係るペットキャリーについて、図７および図８を参照しながら説明する。なお、本発明の実施の形態１に係るペットキャリー１０と同等の構成要素については、同一の符号を付して詳細な説明を繰返さない。
【００５９】
図７は、本発明の実施の形態２に係るペットキャリーの一部の構造を示す分解図である。
【００６０】
図８は、図７に示すペットキャリーの一部の断面図である。
本発明の実施の形態２では、本発明の実施の形態１で用いた台座部３に代えて、台座部３０を用いる。
【００６１】
圧電シート８１は、ケージ部２に位置ずれしない程度に貼付けてあり、その上に台座部３０を重ねることで、台座部３０とケージ部２との間に挟んで設置してある。ペットが台座部３０の上で動くと、台座部３０が変位し、圧電シート８１は主に厚み方向に圧縮されて変形する。この変形によって圧電シート８１は発電し、発電された電力は、整流回路８２（図示しない）を経由して蓄電池８３（図示しない）に蓄電される。
【００６２】
台座部３０には、圧電シート８１と接触する面に複数の突起部３０ｂが設けてあることが好ましい。突起部３０ｂが設けてあると、ペットが台座部３０の上で動いて台座部３０が変位するとき、圧電シート８１が突起部３０ｂで局所的に圧縮される。
【００６３】
圧電シート８１は、厚さ方向の圧縮率が高いほど発電量が増加するため、突起部３０ｂが設けてあることで、台座部３０が平坦である場合と比べて、大きな発電量を得ることができる。突起部３０ｂの形状、高さ、位置、間隔、数量などは、発電量と密接に関係するため、実験を踏まえて決定することが好ましい。
【００６４】
なお、上記の説明では、台座部３０の圧電シート８１と接触する面に突起部３０ｂが設けてあり、ケージ部２は平坦であるとしたが、これに限定されるものではない。台座部３０は平坦で、ケージ部２の圧電シート８１と接触する面に突起部が設けてあってもよい。
【００６５】
（実施の形態３）
本発明の実施の形態２では、台座部３０に突起部３０ｂを設けたが、ケージ部２に窪部を設けることでも、大きな発電量を得ることができる。以下、本発明の実施の形態３に係るペットキャリーについて、図９および図１０を参照しながら説明する。なお、本発明の実施の形態１または実施の形態２に係るペットキャリーと同等の構成要素については、同一の符号を付して詳細な説明を繰返さない。
【００６６】
図９は、本発明の実施の形態３に係るペットキャリーの一部の構造を示す分解図である。
【００６７】
図１０は、図９に示すペットキャリーの一部の断面図である。
本発明の実施の形態２と同様に、台座部３０には、圧電シート８１と接触する面に複数の突起部３０ｂが設けてある。本発明の実施の形態３では、本発明の実施の形態２で用いたケージ部２に代えて、ケージ部２０を用いる。ケージ部２０には、圧電シート８１と接触する面の突起部３０ｂと対応する位置に、複数の窪部２０ｂが設けてある。
【００６８】
ペットが台座部３０の上で動いて台座部３０が変位するとき、突起部３０ｂが窪部２０ｂに嵌まり込む。そのため、台座部３０とケージ部２０との相対的な変位が大きくなり、窪部２０ｂが設けられていない場合と比べて、圧電シート８１が厚さ方向に一層引き伸ばされて変形する。この変形によって圧電シート８１は発電し、発電された電力は、整流回路８２（図示しない）を経由して蓄電池８３（図示しない）に蓄電される。圧電シート８１を間に挟むことを考慮すると、窪部２０ｂは突起部３０ｂよりも若干大きく形成してあることが好ましい。
【００６９】
なお、図１０に示すケージ部２０では、窪部２０ｂがケージ部２０を貫通しているが、これに限定されるものではなく、悲貫通であってもよい。
【００７０】
また、台座部３０に突起部３０ｂを設け、ケージ部２０に窪部２０ｂを設けたが、本発明の実施の形態２の説明と同様に、これに限定されるものではない。突起部３０ｂは、ケージ部２０の圧電シート８１と接触する面に設けてあってもよい。この場合、突起部と対応する窪部は、台座部３０の圧電シート８１と接触する面に設けてあることになる。
【００７１】
（実施の形態４）
本発明の実施の形態１〜実施の形態３では、ケージ部２またはケージ部２０の内部に圧電シート８１を設置したが、圧電シート８１を取っ手の内部に設置してもよい。以下、本発明の実施の形態４に係るペットキャリーについて、図１１を参照しながら説明する。なお、本発明の実施の形態１〜実施の形態３に係るペットキャリーと同等の構成要素については、同一の符号を付して詳細な説明を繰返さない。
【００７２】
本発明の実施の形態４では、本発明の実施の形態１〜実施の形態３で用いた取っ手４に代えて、圧電シート８１を内部に設置した取っ手４０を用いる。
【００７３】
図１１は、本発明の実施の形態４に係るペットキャリーの取っ手４０において、圧電シート８１の設置状態を示す断面図である。圧電シート８１は、薄膜８１ａの両面に電極８１ｂを形成し、リード線８１ｃを介して電力を取出すようにしてあるが、簡略のため図示していない。
【００７４】
取っ手４０は、内部を空洞にしてあり、圧電シート８１を転がり軸４０ｃによって支持し、両端の留具４０ａによって蓋１に設けた金具１ａに接続してある。転がり軸４０ｃは、回転自在に設けた“ころ”であって、圧電シート８１を支えるとともに、ケージ部２（図示しない）の振動により生じる力を圧電シート８１に滑らかに伝える。金具１ａと留具４０ａは、回動自在に接続してあり、留具４０ａは取っ手４０の支持部４０ｂにわずかな隙間を介して滑らかにスライドできるように嵌込んである。
【００７５】
以上のように構成した取っ手４０を備えたペットキャリーにおいて、ケージ部２の振動が、ケージ部２から留具５（図示しない）およびヒンジ７（図示しない）を介して蓋１に伝わり、取っ手４０の内部に設置した圧電シート８１を長さ方向に伸縮するように変形させる。ケージ部２の振動は、ペットの動きや飼主が取っ手４０を持って運搬するときに生じる。振動の他に、ペットやペットキャリーそのものの荷重によっても、圧電シート８１は長さ方向に伸縮するように変形する。変形した圧電シート８１が発電した電力は、整流回路８２（図示しない）を経由して蓄電池８３（図示しない）に蓄電され、イオン発生部６（図示しない）に供給される。
【００７６】
なお、本発明の実施の形態１での説明と同様に、薄膜８１ａの幅や厚さを調整することで変形量が大きくなって、圧電シート８１の発電量を増加させることができる。また、圧電シート８１を積層したり圧電シート８１の数量を増やしたりすることによっても、発電量を増加させることができる。
【００７７】
（実施の形態５）
ペットキャリー１０を運搬するとき、肩ベルトを使用することもあるため、圧電シート８１を肩ベルトの内部に設置してもよい。以下、本発明の実施の形態５に係る収容容器について、図１２および図１３を参照しながら説明する。なお、本発明の実施の形態１〜実施の形態４に係る収容容器と同等の構成要素については、同一の符号を付して詳細な説明を繰返さない。
【００７８】
図１２は、本発明の実施の形態５に係るペットキャリーの構造を示す外観図である。
図１３は、図１２に示す肩ベルトにおいて、圧電シート８１の設置状態を示す図である。肩ベルト１００は、肩当部１００ａとベルト１００ｂとを含む。肩当部１００ａは、圧電シート８１、接続具１００ｃ、樹脂カバー１００ｄを有する。
【００７９】
接続具１００ｃは、圧電シート８１の両端に設けてあり、圧電シート８１とベルト１００ｂとを接続している。圧電シート８１は、薄膜８１ａ（図示しない）の両面に電極８１ｂ（図示しない）を形成し、リード線８１ｃ（図示しない）を介して電力を取出すようにしたもので、その外側を傷つき防止のために柔軟な樹脂カバー１００ｄで覆ってある。
【００８０】
以上のように構成した肩ベルト１００を備えたペットキャリー１０において、ケージ部２（図示しない）の振動が、ベルト１００ｂや接続具１００ｃを介して圧電シート８１に伝わり、肩ベルト１００の内部に設置した圧電シート８１を長さ方向に伸縮するように変形させる。ケージ部２の振動は、ペットの動きや飼主が取っ手４０を持って運搬するときに生じる。振動の他に、ペットやペットキャリー１０そのものの荷重によっても、圧電シート８１は長さ方向に伸縮するように変形する。変形した圧電シート８１が発電した電力は、整流回路８２（図示しない）を経由して蓄電池８３（図示しない）に蓄電され、イオン発生部６（図示しない）に供給される。
【００８１】
なお、本発明の実施の形態１〜実施の形態５は、それぞれ単独での実施に限定されるものではない。本発明の実施の形態１で説明したケージ部２に、本発明の実施の形態４で説明した取っ手４０を取付けるなど、自由に組合わせて実施することができる。
【００８２】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００８３】
１  蓋、１ａ  金具、２，２０  ケージ部、２ａ  換気穴、２０ｂ  窪部、３，３０  台座部、３０ｂ  突起部、４，４０  取っ手、４０ａ  留具、４０ｂ  支持部、４０ｃ  転がり軸、５  留具、６  イオン発生部、６０  ケース、６１  正イオン発生部、６１ａ  放電電極、６１ｂ  対向電極、６２  負イオン発生部、６２ａ  放電電極、６２ｂ  対向電極、６３  コネクタ、６４  イオン発生部駆動回路、６５  高電圧発生部、６６  正極性パルス信号分離部、６７  負極性パルス信号分離部、７  ヒンジ、８  電源部、８ａ  発電部、８ｂ  蓄電部、８１  圧電シート、８１ａ  薄膜、８１ｂ  電極、８１ｃ  リード線、８２  整流回路、８３  蓄電池、８４  電圧変換回路、９  支持部、１０  ペットキャリー、１００  肩ベルト、１００ａ  肩当部、１００ｂ  ベルト、１００ｃ  接続具、１００ｄ  樹脂カバー、２００  外部電源。
【図１】
2013183671.tif 000003
【図２】
2013183671.tif 000004
【図３】
2013183671.tif 000005
【図４】
2013183671.tif 000006
【図５】
2013183671.tif 000007
【図６】
2013183671.tif 000008
【図７】
2013183671.tif 000009
【図８】
2013183671.tif 000010
【図９】
2013183671.tif 000011
【図１０】
2013183671.tif 000012
【図１１】
2013183671.tif 000013
【図１２】
2013183671.tif 000014
【図１３】
2013183671.tif 000015